(57)【要約】【課題】  光スイッチの光路切替方向が容易に検知でき、切替方向の電気信号が得られる光スイッチを提供する。【解決手段】  パッケージの蓋、筐体の一部に透明部を設け、透明部を覆うように投受光器を設け、投受光器の投光器より出た光を、前記光ファイバー切替機構部の少なくとも可動ブロックで反射や遮光もしくは通過させ、投受光器の受光器で受光することで、光ファイバーの切替方向を認識できる電気信号を得る。また、投光器と受光器を一体化した投受光器とすることで、投受光器の取付け、交換を容易にする。【選択図】      図１
2006235486.tif 000002
【特許請求の範囲】
【請求項１】
複数の固定側光ファイバーに対して、少なくとも１本の可動側光ファイバーを移動させ
て接続する光ファイバー切替機構部を有し、前記光ファイバー切替機構部を収納するパッ
ケージを備える光スイッチであって、前記パッケージの蓋もしくは蓋と筐体の少なくとも
一部が透明となっており、透明部を覆うように投受光器を設け、投受光器の投光器より出
射された光を、前記光ファイバー切替機構部の少なくとも可動ブロックで反射もしくは通
過させ、投受光器の受光器で受光することで、可動ブロックの位置を検知し、光ファイバ
ーの切替方向を認識できる電気信号が得られることを特徴とする光スイッチ。
【請求項２】
パッケージの蓋の少なくとも一部が透明となっており、透明部を覆うように投受光器を
設け、投受光器の投光器より出射された光を、前記光ファイバー切替機構部の少なくとも
可動ブロックの面で反射もしくは通過させ、投受光器の受光器で反射光を受光することで
、可動ブロックの位置を検知し、光ファイバーの切替方向を認識できる電気信号が得られ
ることを特徴とる請求項１に記載の光スイッチ。
【請求項３】
パッケージの蓋と筐体の少なくとも一部が透明となっており、蓋と筐体の透明部を覆う
ように投受光器を設け、投受光器の投光器より出射された光を、前記光ファイバー切替機
構部の少なくとも可動ブロックで遮光もしくは通過させ、投受光器の受光器で透過光を受
光することで、可動ブロックの位置を検知し、光ファイバーの切替方向を認識できる電気
信号が得られることを特徴とる請求項１に記載の光スイッチ。
【請求項４】
投受光器は投光器と受光器が一体化されており、投受光器はパッケージから取り外しお
よび取付けができることを特徴とする請求項１から３に記載の光スイッチ。
【請求項５】
投光器より出射される光は、３８０ｎｍ以上７８０ｎｍ以下の波長を有することを特徴
とする請求項１から３に記載の光スイッチ。
【発明の詳細な説明】
【技術分野】
【０００１】
本発明は光通信の分野等で用いる光スイッチに関する。
【背景技術】
【０００２】
光通信の発達に伴って、光ファイバー通信網は長い光路と複雑な分岐を持つようになっ
た。このような環境では光通信装置や光伝送装置内において、回線間で光ファイバーの光
路（伝送経路）を切替る用途が増大し、多くの光スイッチが用いられている。光スイッチ
を切替方式でみると、電気的あるいは光学的に光路の屈折率や位相を変化させて光の進行
方向を切替る方式のものや、機械的に光路を移動させて光の進行方向を切替る方式のもの
等が開発されている。精密な駆動を実現する低損失な光スイッチとしては、後者の機械式
光スイッチが有望である。光スイッチを分岐の数でみると、１本の入力光ファイバーを２
本の出力光ファイバーに動かして切替る１×２型光スイッチや、多数の光ファイバーの端
面を対向させた１×ｍ型光スイッチあるいはｎ×ｍ型光スイッチ等がある。また、切替の
目的は、通常の回線切替の他に、断線した伝送経路を別の断線していない経路に切替る障
害復旧用途や、建物内や地域内の光通信ネットワークの回線を切替る保守点検用途等にも
用いられている。
【０００３】
従来の機械式光スイッチは、特許文献１に開示されている。図９に展開斜視図、図１０
に図９のｋ−ｋ’断面図、図１１に光ファイバー切替機構部の一部拡大図を示す。光スイ
ッチ１’は筐体２と蓋３で構成されるバッケージに、光ファイバー切替機構部が組込まれ
た構造となっている。光ファイバー切替機構部は、光ファイバーと光ファイバーを保持す
るブロック、光ファイバーを移動や保持する磁気回路等からなっている。筐体２に設けら
れた外部端子４から光ファイバー切替信号が入力され、外部端子４と繋がる内部端子５か
ら駆動コイル１０に信号が伝わり、電磁力を発生し可動ブロック１１が移動し光ファイバ
ーの切替が行われる。内部端子５と駆動コイル１０を接続する金属線の図示は省略してい
る。
【０００４】
図１０と図１１を用いて光ファイバー切替と位置決め方法等に付いて詳細に説明する。
べース板２０には、可動側光ファイバー１４を挟持する固定ブロックＡ１２と、固定側光
ファイバー１５を挟持する固定ブロックＢ１３、図１０には、図示はしていないが磁気ヨ
ーク１６や駆動コイル１０、永久磁石１７から構成される磁気回路が接着固定されている
。可動側光ファイバー１４の先端部には可動ブロック１１がベース板２０より浮いた状態
で設けられている。可動ブロック１１は固定ブロックＢ１３から突出た規制ピン１８で保
持され、ベース板より浮いた状態を保持している。規制ピン１８で、固定側光ファイバー
１５と可動側光ファイバー１４の高さ方向の位置を合わせている。駆動コイル１０に切替
信号が入力されると図１１の可動ブロック１１が実線で示した位置から破線の位置に移動
し、光路の切替が終了する。規制ピン１８で可動ブロック１１の移動および停止位置は規
制され、固定側光ファイバー１５と可動側光ファイバー１４の位置合せが行われる。破線
の位置に移動した可動ブロック１１は、永久磁石１７の磁力により磁気ヨーク１６に吸引
され次の切替信号が入力されるまで破線の位置に保持される。
【０００５】
【特許文献１】特開平１１−３２６７９６号公報    図１
【発明の開示】
【発明が解決しようとする課題】
【０００６】
光路の保守点検等で、光スイッチの切替え方向を知る必要が出て来た場合でも、従来の
光スイッチでは容易に知ることが出来なかった。固定側光ファイバー１５と可動側光ファ
イバー１４の突合せ部に外部から光が入るとノイズとなるため、外部光を遮断するためパ
ッケージの筐体２と蓋３は不透明な材質で構成されている。可動ブロック１１の位置を視
認することができれば切替方向を知ることができるが、不透明なパッケージのため外から
見ることはできなかった。例え視認できたとしても、切替方向を電気信号で取り出すこと
はできなかった。
【０００７】
光路切替時に駆動コイルに流れる直流電流の方向を検知し、切替方向を知ることは可能
であるが、駆動コイルに流れる電流は一時的であるため電流の流れた方向つまり切替え方
向を何らかの手段で記憶や表示をする必要がある。切替方向の記憶や表示を行う装置は、
大掛かりなものとなるだけでなく、停電時や作業場所の制限があるときは、確実に作動す
る保証も低いものであった。可動ブロックや可動側光ファイバーの近傍に電気接点を設け
、切替信号により可動ブロックや可動側光ファイバーが動き、その動きで電気接点を作動
させて切替方向の電気信号を得る方法等が考えられる。しかし、光スイッチのパッケージ
内には屈折率整合材であるオイルが充填されることが多い。該オイルは電気絶縁性のため
電気接点から隔絶する必要があり、構造的に複雑となるだけでなく動作の信頼性も低いも
のとなるため、実用化されてはいないのが現状である。
【０００８】
本発明の目的は、光スイッチの光路切替方向が容易に検知でき、切替方向の電気信号が
得られる光スイッチを提供することにある。
【課題を解決するための手段】
【０００９】
本発明の光スイッチは、複数の固定側光ファイバーに対して、少なくとも１本の可動側
光ファイバーを移動させて接続する光ファイバー切替機構部を有し、前記光ファイバー切
替機構部を収納するパッケージを備える光スイッチであり、前記パッケージの蓋もしくは
蓋と筐体の少なくとも一部が透明となっており、透明部を覆うように投受光器を設け、投
受光器の投光器より出射された光を、前記光ファイバー切替機構部の少なくとも可動ブロ
ックで反射もしくは通過させ、投受光器の受光器で受光することで、可動ブロックの位置
を検知し、光ファイバーの切替方向を認識できる電気信号が得られることが好ましい。
【００１０】
光ファイバー切替機構部の可動ブロックの上部に当る蓋、可動ブロックの下部に当る筐
体の少なくとも一部に穴を開け、透明なガラスやプラスチックを穴に接着固定して、投受
光器の光が通る透明部を設けることが好ましい。該穴を透明なガラスやプラスチックで塞
ぐことで、外部からのゴミ等の侵入を防ぐことができるし、光スイッチ内に充填されてい
る屈折率整合材の漏洩が防止できる。蓋および筐体に設けられた透明部から、外部の光が
光スイッチ内に入るのを防ぐだけでなく、投受光器から出る光を外部に漏らさないように
、投受光器で透明部が覆われるようにすることが好ましい。
【００１１】
本発明の光スイッチは、パッケージの蓋の少なくとも一部が透明となっており、透明部
を覆うように投受光器を設け、投受光器の投光器より出射された光を、前記光ファイバー
切替機構部の少なくとも可動ブロックの面で反射もしくは通過させ、投受光器の受光器で
反射光を受光することで、可動ブロックの位置を検知し、光ファイバーの切替方向を認識
できる電気信号を得ることが好ましい。
【００１２】
蓋に設けられた透明部に投光器と受光器を有する投受光器を、透明部を覆うように配置
する。投光器から出た光は可動ブロックの上面（可動ブロックの蓋側の面）で反射し、受
光器に入り電気信号を出力させる。切替信号が入り可動ブロックが移動すると、投光器か
ら出た光は可動ブロックの上面には当らず可動ブロックの側方を通過し、磁気ヨーク側面
や可動ブロック、ベース板等に繰返し当り受光器には入らない。そのため受光器から電気
信号は出力されない。可動ブロックの移動で、受光器に光が入った時は電気信号を出し、
光が入らなかった時は電気信号が出ない状態を作ることができる。光ファイバーの切替方
向を表すのに、受光器からの電気信号の有無を使用できるものである。
【００１３】
光の反射を行う可動ブロックの上面の面粗さは鏡面に近いことが好ましい。また、光反
射率の高い白色や金属色が好ましい。可動ブロックは電磁力で移動するので、磁性体であ
る必要があるため材料の制約から高光反射率の色が望めないことも有る。その場合は、可
動ブロックの上面にアルミニウムや金、銀、銅の高光反射率材を成膜しても良い。
【００１４】
可動ブロックが移動すると、可動ブロック上面には光が当らず可動ブロックの側方を通
過し、磁気ヨークの側面に当り、光は可動ブロックの側面、磁気ヨークの側面、ベース板
表面で反射を繰返し減衰することになる。減衰を速めるため可動ブロックの側面と磁気ヨ
ークの側面、ベース板表面の面粗さは粗くし、光反射率の低い黒色系とすることが好まし
い。
【００１５】
本発明の光スイッチは、パッケージの蓋と筐体の少なくとも一部が透明となっており、
蓋と筐体の透明部を覆うように投受光器を設け、投受光器の投光器より出射された光を、
前記光ファイバー切替機構部の少なくとも可動ブロックで遮光もしくは通過させ、投受光
器の受光器で透過光を受光することで、可動ブロックの位置を検知し、光ファイバーの切
替方向を認識できる電気信号を得ることが好ましい。
【００１６】
蓋に設けられた透明部に投受光器の投光器を、筐体に設けられた透明部に受光器を、透
明部を覆うように配置する。投光器から出た光は可動ブロックと磁気ヨークの間を通りベ
ース板を透過し受光器に入り、電気信号を出力させる。切替信号が入り可動ブロックが移
動すると、投光器から出た光は可動ブロックの上面で遮られ受光器には入らない。そのた
め受光器から電気信号は出力されない。可動ブロックの移動で、受光器に光が入った時は
電気信号を出し、光が入らなかった時は電気信号が出ない状態を作ることができる。
【００１７】
光を遮る可動ブロックの上面の面粗さは粗いことが好ましい。また、光反射率の低い黒
色系が好ましい。可動ブロックに例えばソフトフェライトを使用した場合は、上面に当る
部分は粗い砥石で切断もしくは研削した状態で良く、研磨仕上げは行わないことが好まし
い。鉄やニッケル等の金属材を使用した場合は、化学的に表面の黒色化処理を行うか、黒
色塗料を塗布することが良い。
【００１８】
可動ブロックが移動すると、光は可動ブロックと磁気ヨークの間を通りベース板を透過
し受光器に入る。ベース板を光が透過するので、ベース板は光透過率が高い材料で、ベー
ス板の表裏は乱反射を防止するため鏡面仕上げであることが好ましい。材料としては透明
なガラスが使用できる。可動ブロック側面と磁気ヨークの側面に光が当ることはないので
、面粗さや光反射率は特に規定する必要はないものである。
【００１９】
本発明の光スイッチに設けられる投受光器は、投光器と受光器が一体化されており、投
受光器はパッケージから取り外しおよび取付けができることが好ましい。
【００２０】
投受光器の投光器と受光器の位置合せが行われて一体化されていることで、パッケージ
に取付ける時に投光器と受光器の位置合せを行う必要がなくなる。投受光器をパッケージ
に取付けてから可動部ブロックとの位置合せを行って固定しても良いし、投受光器と光ス
イッチが位置調整不要な程精度を有していれば、取付け固定するだけで良い。投受光器の
投光器もしくは受光器が故障しても、一体化された状態であれば現地で交換も容易にでき
るものである。投受光器の投光器と受光器が設けられている面は、余計な光の反射を防ぎ
減衰を促するため、黒色系で面粗さも粗いことが好ましい。材質としては、プラスチック
が好ましい。投受光器をパッケージに固定する方法は、樹脂接着や金具等による固定、蓋
や筐体に設けた溝に挿入する等々適宜選択することができるものである。
【００２１】
本発明の光スイッチに設けられる投受光器の投光器より出射される光は、ファイバー内
を透過する光信号波長と異なる事が好ましく、専ら光通信に使用される８５０ｎｍ以上の
赤外光に対して、投光器の光波長は光通信の波長と異なる３８０ｎｍ以上７８０ｎｍ以下
の波長であることが好ましい。
【００２２】
パッケージに設けられた透明部から外部の光が光スイッチ内に入り、可動側光ファイバ
ーと固定側光ファイバーの対向部に当ると、光ファイバー内を通る１５００〜１６００（
ｎｍ）の光信号に対しノイズとなる。そのため、投受光器とパッケージは密着して透明部
を外光から遮断することが好ましい。密着していない場合は、隙間をシール材で塞ぎ遮光
することが好ましい。また、投光器から出る光が思わぬところで反射し、可動側光ファイ
バーと固定側光ファイバーの対向部に当る可能性がないとは言えない。例え、対向部に投
光器の光が当っても、光ファイバー内を通る８５０〜１６００（ｎｍ）の光信号と異なっ
た、３８０ｎｍ以上７８０ｎｍ以下波長領域の光であればノイズとならない。３８０ｎｍ
以上７８０ｎｍ以下波長領域の光を容易に得られるのは、ＬＥＤランプである。赤や緑、
青の単色光でも良いし、赤、緑、青の波長を約３：７：１の発光強度で組合せて白色光と
したものでも良い。また、ＬＥＤランプは発光に際して熱を殆んど出さないので、発光状
態を継続しても光スイッチに熱的影響を及ぼすことはない。更に、白熱電球ランプ等に比
べ寿命や消費電力の点で有利である。受光器は、３８０ｎｍ以上７８０ｎｍ以下波長領域
の光を電気に変換できるフォトダイオードを使用することができる。
【発明の効果】
【００２３】
パッケージの蓋、筐体の一部に透明部を設け、透明部を覆うように投受光器を設け、投
受光器の投光器より出た光を、前記光ファイバー切替機構部の少なくとも可動ブロックで
反射や遮光もしくは通過させ、投受光器の受光器で受光することで、光ファイバーの切替
方向を認識できる電気信号が得られた。また、投光器と受光器を一体化した投受光器とす
ることで、投受光器の取付け、交換が現地で容易にできた。
【発明を実施するための最良の形態】
【００２４】
以下、図面を用いて本発明の実施の形態を詳細に説明する。説明を判り易くするため、
同一の部品、部位には同じ符号を用いている。
【実施例１】
【００２５】
図１に本発明の光スイッチの展開斜視図を示す。図２に図１のｍ−ｍ’断面図、図３に
可動ブロックの動きと切替方向を判断する方法の説明図を示す。図１に示す様に、光スイ
ッチ１は筐体２と蓋３で構成されるパッケージに、光ファイバー切替機構部が組込まれた
構造となっている。蓋３には蓋透明部５０を設け、蓋透明部５０には投受光器５１をエポ
キシ樹脂で接着固定した。エポキシ樹脂は投受光器５１の四隅にのみ使用し、残りの部位
はシリコン樹脂でシールした。これは、投受光器５１の交換が必要となった時、簡単に投
受光器５１を蓋３から取り外せるようにするためである。筐体２に設けられた外部端子４
から光ファイバー切替信号が入力され、内部端子５から駆動コイル１０に信号が伝わり、
電磁力を発生し可動ブロック１１を移動し光ファイバーの切替を行わせた。内部端子５と
駆動コイル１０を接続する金属線の図示は省略した。投受光器５１の投光器５２と受光器
５３に繋がれるコードの図示も省略している。
【００２６】
図２は、図１のｍ−ｍ’断面図である。光ファイバー切替機構部の土台となるベース板
２０’には、可動側光ファイバー１４を挟持する固定ブロックＡ１２と、固定側光ファイ
バー１５を挟持する固定ブロックＢ１３、図示はしていないが磁気ヨーク１６や駆動コイ
ル１０、永久磁石１７から構成される磁気回路を接着固定した。可動側光ファイバー１４
の先端部には可動ブロック１１をベース板２０’より浮いた状態に設けた。可動ブロック
１１は固定ブロックＢ１３から突出た規制ピン１８で保持され、ベース板２０’より浮い
た状態を保持している。規制ピン１８で、固定側光ファイバー１５と可動側光ファイバー
１４の高さ方向の位置を合わせている。
【００２７】
図３に、固定ブロックＡ１２側から見た光スイッチの可動ブロック周辺と、投受光器５
１の投光器５２と受光器５３の位置関係を示し、可動ブロック１１’の位置検出方法を説
明する。駆動コイル１０に切替信号が入力されると、可動ブロック１１’が実線で表示し
た位置から破線の位置に移動し光路の切替が終了する。規制ピン１８で可動ブロック１１
’の移動および停止位置は規制され、固定側光ファイバー１５と可動側光ファイバー１４
の位置合せが行われる。破線の位置に移動した可動ブロック１１’は、永久磁石１７の磁
力により磁気ヨーク１６に吸引され次の切替信号が入力されるまで破線の位置に保持され
る。再度、切替信号が入力され可動ブロックが実線位置に移動し保持される。可動ブロッ
クが実線位置か破線位置かを、投受光器５１で検知し電気信号を出すものである。
【００２８】
可動ブロック１１’が実線位置にある時は、白色ＬＥＤランプの投光器５２から出た光
は、可動ブロック上面５４で反射し受光器５３に入り出力電圧として信号が得られる。入
射角Θと反射角Θは同じとなるので、投光器と受光器の位置関係は自ずと決まることにな
る。可動ブロック上面５４と投光器５２、受光器５３の間隔が小さい場合は、Θは大きく
取る必要がある。可動ブロック１１’が破線位置にある時は、光は可動ブロック１１’の
側方を通過し磁気ヨーク側面５５に当り反射して、可動ブロック１１’の側面やベース板
２０’表面で反射を繰返し減衰して行き、受光器５３には入らないため受光器の出力はな
い。受光器の出力が有ることで可動ブロックが実線位置、出力が無いことで可動ブロック
が破線位置にあることを知ることができた。
【００２９】
可動ブロック１１’には、単結晶マンガン亜鉛フェライトを使用した。光を反射する可
動ブロック上面５４はＲａ１．７（ｎｍ）の鏡面ラップ仕上げとし、可動ブロック１１’
の側面は乱反射と光の吸収率上げるためＲａ１．３（μｍ）の切断面とした。同様に磁気
ヨーク側面５５もフライス加工面としている。ベース板２０’は面粗さＲａは０．６５（
μｍ）の黒色摺りガラスを用いた。
【実施例２】
【００３０】
本発明の他の実施例として、蓋側に投光器、筐体側に受光器を設けた光スイッチを示す
。図４に、本発明の光スイッチの展開斜視図を示す。図５に図４のｎ−ｎ’断面図、図６
に可動ブロックの動きと切替方向を判断する方法の説明図を示す。図４に示すように、蓋
３に蓋透明部５０、筐体２に筐体透明部５６が設けられ、蓋透明部５０には投受光器５１
’の投光器５２を、筐体透明部５６には受光器５３を固定した。蓋透明部５０に投光器５
２をエポキシ樹脂で接着固定した。エポキシ樹脂は投光器５２の四隅にのみ使用し、残り
の部位はシリコン樹脂でシールした。受光器側はシリコン樹脂でシールを行っただけであ
る。投受光器５１’の投光器５２から出た光は、受光器５３に入るように位置が合わされ
一体化されている。図４では、一体化の状態を破線で示している。図５で、投光器から出
た光は蓋透明部５０とベース板２０”、筐体透明部５６を透過し受光器５３に入る。もし
くは、可動ブロック１１で投光器から出た光が遮蔽されるものである。光ファイバー切替
機構部の、可動ブロックの動きや他の部品の機能は実施例１と同じであるので説明は省略
する。
【００３１】
図６に、固定ブロックＡ１２側から見た光スイッチの可動ブロック周辺と、投受光器５
１’の投光器５２と受光器５３の位置関係を示し、可動ブロック１１の位置検出方法を説
明する。可動ブロック１１が実線位置にある時は、白色ＬＥＤランプの投光器５２から出
た光は、可動ブロック１１の表面で反射（遮光や乱反射、光の吸収の意味も含む）し受光
器５３には入らない。可動ブロック１１が破線位置にある時は、投光器５２から出た光は
、蓋透明部のガラス板を透過、可動ブロックの側方を通過し、ベース板２０”、筐体透明
部のガラス板の順で透過し受光器に入り、受光器から電圧として信号を得た。
【００３２】
投光器と受光器を蓋側に設けた実施例１と本実施例２で大きく異なる点を述べる。可動
ブロック１１には、実施例１と同様に単結晶マンガン亜鉛フェライトを使用した。本実施
例２では、可動ブロック１１の光を吸収したい上面は面粗さＲａ０．９（μｍ）の研削仕
上げとし、ベース板２０”には透明ガラスを用いた。このような構成とすることで、可動
ブロックが実線位置にある時は、投光器から出た光の可動ブロックの上面での乱反射と吸
収を大きくし、受光器に迷い込む光を最小限にすることができる。可動ブロックが破線位
置にある時は、投光器から出た光が最大限受光器に入るように、ベース板２０”の光透過
率を上げたものである。ちなみに、実施例１の可動ブロック上面は鏡面、ベース板は黒色
系の摺りガラスである。
【実施例３】
【００３３】
図７に、投光器と受光器を２個設けた実施例を示す。実施例１および２では投光器と受
光器が各１個であった。実施例１では、可動ブロックが実線位置の時に受光器出力があり
、破線位置の時は受光器出力がないことで、切替方向を知るものであった。もし、投受光
器が故障していた場合、可動ブロックが実線位置にあっても受光器から出力はない。出力
が無い現象からだけでは、光スイッチが故障して可動ブロックが破線位置から実線位置に
切替らないのか、それとも可動ブロックは破線位置から実線位置に切替っているが、投受
光器が故障して出力がないのか判断できないことになる。ＬＥＤやフォトダイオードの信
頼性は高く寿命も永いので、通常の使用では等に問題にすることはない。しかし、高い信
頼度が要求される光線路では、本実施例のように受光器と投光器を２個設けることで、投
受光器の故障による誤判断を防ぐことができた。
【００３４】
図７の左側に位置する投光器ａ５２’から出た光は、実線で示した可動ブロック上面５
４で反射し、受光器ａ５３’に入り電気信号を発生する。右側に位置する投光器ｂ５２”
から出た光は、磁気ヨーク側面５５やベース板２０’の表面、可動ブロック１１’の側面
で反射を繰返し減衰し、受光器ｂ５３”には入らないので電気信号の発生はない。可動ブ
ロック１１’が破線位置に移動すると、受光器ａ５３’の電気信号の発生がなくなり、受
光器ｂ５３”から電気信号が発生する。光スイッチが正常に作動し可動ブロックが、実線
位置と破線位置を行き来すれば、受光器ａもしくは受光器ｂ何れかから電気信号が得られ
る。何れからも電気信号が得られない時は、投受光器の故障と容易に判断することができ
た。
【実施例４】
【００３５】
実施例２で示したパッケージを上下で挟む構造の投受光器では、筐体に段差が生じてし
まうため、基板等に取付け難いことがあった。図８に、筐体や蓋面から投受光器の飛び出
しを無くした実施例を示す。透明部を含む筐体と蓋の一部に切込部を設け、投光器や受光
器を切込部に埋め込む。図８ａ）は、筐体２’に切欠部６０を設け受光器５３を埋め込ん
だものであり、図８ｂ）は、筐体２”と蓋３”に切欠部６０を設け、投光器５２と受光器
５３を埋め込んだものである。図８ａ）ｂ）共、投光器５２はエポキシ樹脂で接着固定し
た。エポキシ樹脂は投光器５２の四隅にのみ使用し、残りの部位はシリコン樹脂でシール
した。受光器側は切欠部６０で遮光性が得られたので、シリコン樹脂でのシールは不要で
あった。なお、この投受光器は一体化して、筐体切欠部に同時に挿抜出来る構造であって
も良いことは言うまでも無い。
【図面の簡単な説明】
【００３６】
【図１】本発明の光スイッチの展開斜視図である。
【図２】図１のｍ−ｍ’断面図である。
【図３】可動ブロックの動きと切替方向を判断する方法の説明図である。
【図４】本発明の実施例２の光スイッチの展開斜視図である。
【図５】図４のｎ−ｎ’断面図である。
【図６】可動ブロックの動きと切替方向を判断する方法の説明図である。
【図７】本発明の実施例３の可動ブロックの動きと切替方向を判断する方法の説明図である。
【図８】本発明の実施例４の光スイッチの断面図である
【図９】従来の光スイッチの展開斜視図である。
【図１０】図６のｋ−ｋ’断面図である。
【図１１】光ファイバー切替機構部の一部拡大図である。
【符号の説明】
【００３７】
１，１’光スイッチ、２，２’筐体、３  蓋、４  外部端子、５  内部端子、
１０  駆動コイル、１１  可動ブロック、１２  固定ブロックＡ、
１３  固定ブロックＢ、１４  可動側光ファイバー、１５  固定側光ファイバー、
１６  磁気ヨーク、１７  永久磁石、１８  規制ピン、２０，２０’，２０”ベース板、
５０  蓋透明部、５１，５１’，５１”投受光器、５２，５２’，５２”投光器、
５３，５３’，５３”受光器、５４  可動ブロック上面、５５  磁気ヨーク側面、
５６  筐体透明部、６０切欠部。
【図１】
2006235486.tif 000003
【図２】
2006235486.tif 000004
【図３】
2006235486.tif 000005
【図４】
2006235486.tif 000006
【図５】
2006235486.tif 000007
【図６】
2006235486.tif 000008
【図７】
2006235486.tif 000009
【図８】
2006235486.tif 000010
【図９】
2006235486.tif 000011
【図１０】
2006235486.tif 000012
【図１１】
2006235486.tif 000013